(57)【要約】【課題】車椅子使用者が画像読取装置付き画像形成装置を使い易くする。【解決手段】複写機用ラック２０の下部には、３つの脚部材２１ａ・２１ｂ・２１ｃを、後端を揃えてほぼ等間隔に互いに平行に設ける。中央の脚部材２１ｂは、両側の脚部材２１ａ・２１ｃより短くつくる。各脚部材の後端間には、掛け渡して桟部材２２ａ・２２ｂを設ける。また、脚部材の後端からは、それぞれ上向きに柱部材２３ａ・２３ｂ・２３ｃを立てる。右側の２つの柱部材２３ａ・２３ｂの上端からは、各々手前に向けて腕部材２８ａをのばす。それらの腕部材２８ａで、矩形板状の載置台２７を支持する。そして、複写機用ラック２０には、複写機の設置位置を区画する第１の部分Ａと、車椅子使用者の膝が入り込む空間上に、複写機の画像読取装置３１を載置する載置台２７を設ける第２の部分Ｃとを備える。【選択図】　　　　図１
2004053999.tif 000002
【特許請求の範囲】
【請求項１】
画像形成装置の設置位置を区画する第１の部分と、車椅子使用者の膝が入り込む空間上に、前記画像形成装置の画像読取装置を載置する載置台を設ける第２の部分とを備えることを特徴とする、画像形成装置用ラック。
【請求項２】
請求項１に記載の画像形成装置用ラックの前記第１の部分で区画する設置位置に前記画像形成装置を設置し、前記第２の部分の載置台上に前記画像読取装置を載置することを特徴とする、画像形成装置の設置方法。
【請求項３】
請求項１に記載の画像形成装置用ラックの前記第１の部分で区画する設置位置に前記画像形成装置を設置し、前記第２の部分の載置台上に前記画像読取装置を載置することを特徴とする、画像読取装置付き画像形成装置。
【請求項４】
車椅子使用者の膝が入り込む空間上に、画像形成装置の画像読取装置を載置する載置台を備えるとともに、隣接して設置する前記画像形成装置との連結部を備えることを特徴とする、画像形成装置用ラック。
【請求項５】
脚部材を補強して転倒を防止する転倒防止部材を取り付けることを特徴とする、請求項４に記載の画像形成装置用ラック。
【請求項６】
請求項４または５に記載の画像形成装置用ラックに前記連結部で連結して前記画像形成装置を隣接して設置する一方、前記載置台上に前記画像読取装置を載置することを特徴とする、画像形成装置の設置方法。
【請求項７】
請求項４または５に記載の画像形成装置用ラックに前記連結部で連結して前記画像形成装置を隣接して設置する一方、前記載置台上に前記画像読取装置を載置することを特徴とする、画像読取装置付き画像形成装置。
【発明の詳細な説明】
【０００１】
【発明の属する技術分野】
この発明は、複写機やファクシミリ、またはそれらの複合機など、用紙・ＯＨＰフィルム等のシートに画像を形成する画像形成装置を設置するときに用いる画像形成装置用ラックに関する。および、その画像形成装置用ラックを用いた画像形成装置の設置方法に関する。および、その設置方法を用いて設置した画像読取装置付き画像形成装置に関する。
【０００２】
【従来の技術】
従来の複写機（画像形成装置）のなかには、画像読取装置を複写機用ラックの上に設置するものがあった。その複写機用ラックを、図８に示す。
【０００３】
その複写機用ラック１の下部には、２つの脚部材２ａ・２ｂを前端、および後端を揃えて互いに平行に設ける。そのような脚部材２ａ・２ｂの後端からは、それぞれ上向きに柱部材３ａ・３ｂを立てる。そして、柱部材３ａ・３ｂには、下端間に桟部材４を、上端間に梁部材５を各々掛け渡して設ける。それら桟部材４と梁部材５の中央間には、平板材６を掛け渡す。
【０００４】
さらに、柱部材３ａ・３ｂの上端からは、各々手前に向けて腕部材８ａをのばす。そして、それらの腕部材８ａで、矩形板状の載置台７を支持していた。
【０００５】
そのような複写機用ラック１に、画像読取装置、および複写機を設置した場合を図９に示す。
【０００６】
この場合、複写機１０は、上述した脚部材２ａ・２ｂ、および桟部材４などで囲む設置位置に設置する一方、画像読取装置１１は、載置台７の上に載置していた。
【０００７】
そのような画像読取装置１１付き複写機１０を、車椅子使用者１２が使用する場合を図１０に示す。
【０００８】
【発明が解決しようとする課題】
この場合、車椅子使用者１２の足が複写機１０の本体下部に当たり、車椅子使用者１２の体を複写機１０本体に近づけることができないため、画像読取装置に原稿を載せるのが困難であるなど、車椅子使用者１２が画像読取装置１１付き複写機１０を使いにくい問題があった。
【０００９】
また、複写機用ラック１の載置台７上に画像読取装置１１を設置すると、画像読取装置の位置が高くなるので、その点からも、画像読取装置に原稿を載せるのが困難であるなど、車椅子使用者１２が画像読取装置１１付き複写機１０を使いにくい問題があった。
【００１０】
ところで、従来の複写機のなかには、画像読取装置を一体に備える複写機もあった。また、その複写機を載せる複写機用ラックには、例えばラックの前部に切り欠きを設けたものがあった。そのような複写機用ラックに、画像読取装置を一体に備える複写機を設置し、その複写機を車椅子使用者が使用する場合を図１１に示す。
【００１１】
このとき、車椅子使用者１６は、複写機用ラック１８の切欠１９に足を入れて複写機１５を操作する。このようにすれば、複写機１５の操作部１７には手が届くようになるが、それでもまだ、車椅子使用者１６の体と複写機１５との間には距離があり、車椅子使用者１２の体を複写機１０本体に、十分に近づけることができないため、画像読取装置に原稿を載せるのが困難であるなど、車椅子使用者１６が画像読取装置付き複写機１５を使いにくい問題があった。
【００１２】
また、車椅子使用者１６の体を複写機１５本体に十分に近づけるべく、車椅子使用者１６が、図示するように、複写機１５に対し横向きになると、車椅子使用者１６は、どちらか一方の手しか使えず、両手が使えないので、コンタクトガラスＧの所定の位置にきちんと原稿Ｐを載せるのが困難であるなど、やはり、車椅子使用者１６が画像読取装置付き複写機１５を使いにくい問題があった。
【００１３】
以上説明したように、従来の複写機用ラックに設置した複写機を、車椅子使用者が操作する場合、画像読取装置付き複写機を使いにくい問題があった。
【００１４】
そこで、この発明の第１の目的は、車椅子使用者が画像読取装置付き画像形成装置を使い易くすることにある。
【００１５】
この発明の第２の目的は、画像形成装置用ラックの強度を上げることにある。
【００１６】
【課題を解決するための手段】
そのため、請求項１に記載の発明は、上述した第１の目的を達成すべく、
画像形成装置用ラックにおいて、
画像形成装置の設置位置を区画する第１の部分と、車椅子使用者の膝が入り込む空間上に、画像形成装置の画像読取装置を載置する載置台を設ける第２の部分とを備えることを特徴とする。
【００１７】
請求項２に記載の発明は、上述した第１の目的を達成すべく、
画像形成装置の設置方法において、
請求項１に記載の画像形成装置用ラックの第１の部分で区画する設置位置に画像形成装置を設置し、第２の部分の載置台上に画像読取装置を載置することを特徴とする。
【００１８】
請求項３に記載の発明は、上述した第１の目的を達成すべく、
画像読取装置付き画像形成装置において、
請求項１に記載の画像形成装置用ラックの第１の部分で区画する設置位置に画像形成装置を設置し、第２の部分の載置台上に画像読取装置を載置することを特徴とする。
【００１９】
請求項４に記載の発明は、上述した第１の目的を達成すべく、
画像形成装置用ラックにおいて、
車椅子使用者の膝が入り込む空間上に、画像形成装置の画像読取装置を載置する載置台を備えるとともに、隣接して設置する画像形成装置との連結部を備えることを特徴とする。
【００２０】
請求項５に記載の発明は、上述した第２の目的を達成すべく、
請求項４に記載の画像形成装置用ラックにおいて、
脚部材を補強して転倒を防止する、転倒防止部材を取り付けることを特徴とする。
【００２１】
請求項６に記載の発明は、上述した第１の目的を達成すべく、
画像形成装置の設置方法において、
請求項４または５に記載の画像形成装置用ラックに連結部で連結して画像形成装置を隣接して設置する一方、載置台上に画像読取装置を載置することを特徴とする。
【００２２】
請求項７に記載の発明は、上述した第１の目的を達成すべく、
画像読取装置付き画像形成装置において、
請求項４または５に記載の画像形成装置用ラックに連結部で連結して画像形成装置を隣接して設置する一方、載置台上に画像読取装置を載置することを特徴とする。
【００２３】
【発明の実施の形態】
以下、図面を参照しつつ、この発明の実施の形態につき説明する。
図１には、この発明による画像形成装置用ラックの一例を示す。図示画像形成装置用ラックは、複写機を設置するときに用いる複写機用ラックである。
【００２４】
その複写機用ラックの下部には、３つの脚部材２１ａ・２１ｂ・２１ｃを、後端を揃えてほぼ等間隔に互いに平行に設ける。中央の脚部材２１ｂは、両側の脚部材２１ａ・２１ｃより短くつくる。そして、各脚部材２１ａ・２１ｂ・２１ｃの底面には、それぞれ前後にゴム足２５を取り付ける。また、各脚部材２１ａ・２１ｂ・２１ｃの後端間には、掛け渡して桟部材２２ａ・２２ｂを設ける。
【００２５】
そのような脚部材２１ａ・２１ｂ・２１ｃの後端からは、それぞれ上向きに柱部材２３ａ・２３ｂ・２３ｃを立てる。右側の２つの柱部材２３ａ・２３ｂは同じ高さとし、左側の柱部材２３ｃだけ低くつくる。脚部材２１ａ・２１ｂ・２１ｃと柱部材２３ａ・２３ｂ・２３ｃとが形成する角部には、それぞれ三角形状の補強材Ｚを取り付ける。
【００２６】
そして、右側の２つの柱部材２３ａ・２３ｂには、下端間に桟部材２４を、上端間に梁部材２６ａを各々掛け渡して設ける。それら桟部材２４と梁部材２６ａの中央間には、平板材２９を掛け渡す。一方、柱部材２３ｂの下部と柱部材２３ｃの上端間には、梁部材２６ｂを掛け渡して設ける。
【００２７】
さらに、右側の２つの柱部材２３ａ・２３ｂの上端からは、各々手前に向けて腕部材２８ａをのばす。そして、それらの腕部材２８ａで、矩形板状の載置台２７を支持する。
【００２８】
これにより、このような複写機用ラック２０には、脚部材２１ｂ・２１ｃ、平板材２２ｂ、柱部材２３ｂ・２３ｃ、梁部材２６ｂなどで囲み、複写機の設置位置を区画する第１の部分Ａと、脚部材２１ａ・２１ｂ、平板材２２ａ、柱部材２３ａ・２３ｂ、梁部材２６ａ、平板材２９などで囲み、車椅子使用者の膝が入り込む空間の上に、腕部材２８ａで支持して画像読取装置を載置する載置台２７を設ける第２の部分Ｃとを備える。
【００２９】
そして、そのような複写機用ラック２０に画像読取装置と複写機を電気接続するとともに、それぞれの設置位置に設置した場合を図２に示す。
【００３０】
この場合、複写機用ラック２０の第１の部分Ａで区画する設置位置に複写機３０を設置し、第２の部分Ｃの載置台２７上に画像読取装置３１を載置する。
【００３１】
ところで、上述した複写機３０には、複写機本体３２の下に、例えばシートを収納する３つのシートカセット３３を備える。
【００３２】
また、そのシートカセット３３の上に、用紙・ＯＨＰフィルム等のシートに画像を形成する不図示の作像装置などを有する複写機本体３２を設置する。
【００３３】
その複写機本体３２の図中左には、記録済みのシートをスタックする排出トレイ３４を備えるとともに、複写機本体３２の上には、同じく記録済みのシートをスタックする排出台３５を備えている。
【００３４】
一方、上述した画像読取装置３１には、原稿を載置する不図示のコンタクトガラス、および原稿の内容を電子データに変換する不図示の光電変換素子などを備える。
【００３５】
また、画像読取装置３１の上には、開閉自在に取り付けられた原稿押え３６を備えるとともに、操作表示部３８を備える。
【００３６】
さて、いま、この画像読取装置３１付き複写機３０を用いて、車椅子使用者がコピーをとる場合、複写機本体３２にある不図示のメインスイッチを入れるとともに、図３に示すように、車椅子使用者３７の膝を上述した空間Ｂに入れる。
【００３７】
次に、画像読取装置３１の原稿押え３６を開いて原稿を不図示のコンタクトガラス上にセットしてから、その原稿押え３６を閉じてそれで押さえる。
【００３８】
そして、操作表示部３８のスタートキーを押すと、画像読取装置３１では、セットした原稿の内容を読取る。
【００３９】
一方、複写機３０では、原稿のサイズに応じたシートカセット３３を適宜選択し、対応するシートカセット３３からシートを送り出して、シートに原稿の内容の画像を形成してから、排出トレイ３４または排出台３５上に排出する。
【００４０】
その後、原稿押え３６を開いて、画像読取装置３１にセットした原稿を取り出してから、原稿押え３６を閉じて、コピーを終了する。
【００４１】
ところで、図４には、この発明による画像形成装置用ラックの他例を示す。図示画像形成装置用ラックも、複写機を設置するときに用いる複写機用ラックである。
【００４２】
その複写機用ラック４０の下部には、例えば断面コ字状のチャンネルを折り曲げて形成した２つの脚部材４１ａ・４１ｂを、前端、および後端を揃えて互いに平行に設ける。それら２本の脚部材４１ａ・４１ｂのチャンネルの両側面には、それぞれ穴を２つずつ備え、後述する複写機本体と連結する連結部４２を構成するとともに、脚部材４１ａ・４１ｂの前端の底面には、それぞれゴム足４７ａを１つずつ取り付ける。
【００４３】
そのような脚部材４１ａ・４１ｂの後端からは、それぞれ上向きに柱部材４３ａ・４３ｂを立てる。このとき、それらの柱部材４３ａ・４３ｂは、脚部材４１ａ・４１ｂから下向きにわずかに突出して、柱部材４３ａ・４３ｂの底面と、脚部材４１ａ・４１ｂの前端の底面との高さを合わせる。また、柱部材４３ａ・４３ｂは、同じ高さとし、それらの柱部材４３ａ・４３ｂの底面には、それぞれゴム足４７ｂを１つずつ取り付ける。脚部材４１ａ・４１ｂと柱部材４３ａ・４３ｂとがなすそれぞれの角には、三角形状をした平板の補強部ｙをそれぞれ取り付けている。
【００４４】
そして、柱部材４３ａ・４３ｂには、下端間に桟部材４４を、上端間に梁部材４５を各々掛け渡して設ける。それら桟部材４４と梁部材４５の中央間には、平板材４６を掛け渡す。
【００４５】
さらに、柱部材４３ａ・４３ｂの上端からは、各々手前に向けて腕部材４９ａをのばす。そして、それらの腕部材４９ａで矩形板状の載置台４８を支持する。
【００４６】
また、この複写機用ラック４０には、図５に示す、上述した脚部材４１ａ・４１ｂ間にそれらを補強して転倒を防止する転倒防止部材５１を備える。
【００４７】
その転倒防止部材５１は、台形状をした２枚の側板部５２ａ、５２ｂを有する。そして、側板部５２ａ・５２ｂの間は、平板部５３にて連結する。また、側板部５２ａ、５２ｂの上部には、穴Ｅをそれぞれ２つずつ有する。
【００４８】
このような複写機用ラック４０には、図４に示すように、脚部材４１ａ・４１ｂ、転倒防止部材５１、柱部材４３ａ・４３ｂなどで囲み、車椅子使用者の膝が入り込む空間Ｆ上に、複写機の画像読取装置を載置する載置台４７を備えるとともに、隣接して設置する複写機３０との連結部４２を備えている。
【００４９】
そして、複写機用ラック４０に前述した例と同様の画像読取装置３１、および複写機３０を設置した場合を図６に示す。
【００５０】
複写機用ラック４０に複写機３０を隣接して設置し、複写機３０の側板に設けた穴と、複写機用ラック４０の脚部材４１ａまたは脚部材４１ｂに設けたいずれかの連結部４２とを合わせてから、脚部材４１ａと脚部材４１ｂの間に、転倒防止部材５１を取り付け、転倒防止部材５１の４つの穴Ｅと、脚部材４１ａおよび脚部材４１ｂの連結部４２とを合わせ、４つの穴Ｅの各々にネジを入れ、それにより、複写機３０と複写機用ラック４０とを固定する。
【００５１】
また、画像読取装置を設置するには、載置台４７上に画像読取装置３１を載置するとともに、複写機３０と電気接続する。
【００５２】
そして、画像読取装置３１付き複写機３０を用いて、車椅子使用者がコピーをとる場合、複写機本体３２にある不図示のメインスイッチを入れるとともに、図７に示すように、車椅子使用者３７の膝を、上述した空間Ｆに入れる。
【００５３】
次に、画像読取装置３１の原稿押え３６を開いて原稿を不図示のコンタクトガラス上にセットしてから、その原稿押え３６を閉じてそれで押さえる。
【００５４】
そして、操作表示部３８のスタートキーを押すと、画像読取装置３１では、セットした原稿の内容を読取る。
【００５５】
一方、複写機３０では、原稿のサイズに応じたシートカセット３３を適宜選択し、対応するシートカセット３３からシートを送り出して、シートに原稿の内容の画像を形成してから、排出トレイ３４または排出台３５上に排出する。
【００５６】
その後、原稿押え３６を開いて、画像読取装置３１にセットした原稿を取り出してから、原稿押え３６を閉じて、コピーを終了する。
【００５７】
【発明の効果】
以上説明したとおり、請求項１に記載の発明によれば、画像形成装置用ラックが、画像形成装置の設置位置を区画する第１の部分と、車椅子使用者の膝が入り込む空間上に、画像形成装置の画像読取装置を載置する載置台を設ける第２の部分とを備え、第１の部分で区画する設置位置に画像形成装置を設置し、第２の部分の載置台上に画像読取装置を載置し、車椅子使用者が画像形成装置を使用する場合、車椅子使用者の膝を、上述した画像形成装置用ラックの車椅子使用者の膝が入り込む空間に入れ、画像読取装置に車椅子使用者の体を十分に接近させることができる。
【００５８】
さらに、上述したように、車椅子使用者の膝を、画像形成装置用ラックの車椅子使用者の膝が入り込む空間に入れ、車椅子使用者は正面を向いて両手で操作できる。これにより、車椅子使用者が画像読取装置付き画像形成装置を使いやすくすることができる。
【００５９】
請求項２に記載の発明によれば、画像形成装置の設置方法において、請求項１に記載の画像形成装置用ラックの第１の部分で区画する設置位置に画像形成装置を設置し、第２の部分の載置台上に画像読取装置を載置し、車椅子使用者が画像形成装置を使用する場合、車椅子使用者の膝を、画像形成装置用ラックの車椅子使用者の膝が入り込む空間に入れ、画像読取装置に車椅子使用者の体を十分に接近させることができる。
【００６０】
さらに、車椅子使用者の膝を、画像形成装置用ラックの車椅子使用者の膝が入り込む空間に入れ、車椅子使用者は正面を向いて両手で操作できる。これにより、車椅子使用者が、画像読取装置付き画像形成装置を使いやすくすることができる。
【００６１】
請求項３に記載の発明によれば、画像読取装置付き画像形成装置において、請求項１に記載の画像形成装置用ラックの第１の部分で区画する設置位置に画像形成装置を設置し、第２の部分の載置台上に画像読取装置を載置し、車椅子使用者が画像形成装置を使用する場合、車椅子使用者の膝を、画像形成装置用ラックの車椅子使用者の膝が入り込む空間に入れ、画像読取装置に車椅子使用者の体を十分に接近させることができる。
【００６２】
さらに、車椅子使用者の膝を、画像形成装置用ラックの車椅子使用者の膝が入り込む空間に入れ、車椅子使用者は正面を向いて両手で操作できる。これにより、車椅子使用者が、画像読取装置付き画像形成装置を使いやすくすることができる。
【００６３】
請求項４に記載の発明によれば、画像形成装置用ラックが、車椅子使用者の膝が入り込む空間上に、画像形成装置の画像読取装置を載置する載置台を備えるとともに、隣接して設置する画像形成装置との連結部を備え、連結部で連結して画像形成装置を隣接して設置する一方、載置台上に画像読取装置を載置し、車椅子使用者が画像形成装置を使用する場合、車椅子使用者の膝を、上述した画像形成装置用ラックの車椅子使用者の膝が入り込む空間に入れ、画像読取装置に車椅子使用者の体を十分に接近させることができる。
【００６４】
さらに、車椅子使用者の膝を、画像形成装置用ラックの車椅子使用者の膝が入り込む空間に入れ、車椅子使用者は正面を向いて両手で操作できる。これにより、車椅子使用者が、画像読取装置付き画像形成装置を使いやすくすることができる。
【００６５】
請求項５に記載の発明によれば、画像形成装置用ラックに、脚部材を補強して転倒を防止する転倒防止部材を取り付けるので、画像形成装置用ラックの強度を上げることができる。
【００６６】
請求項６に記載の発明によれば、画像形成装置の設置方法において、請求項４または５に記載の画像形成装置用ラックに連結部で連結して画像形成装置を隣接して設置する一方、載置台上に画像読取装置を載置し、車椅子使用者が画像形成装置を使用する場合、車椅子使用者の膝を、上述した画像形成装置用ラックの車椅子使用者の膝が入り込む空間に入れ、画像読取装置に車椅子使用者の体を十分に接近させることができる。
【００６７】
さらに、車椅子使用者の膝を、画像形成装置用ラックの車椅子使用者の膝が入り込む空間に入れ、車椅子使用者は正面を向いて両手で操作できる。これにより、車椅子使用者が、画像読取装置付き画像形成装置を使いやすくすることができる。
【００６８】
請求項７に記載の発明によれば、画像読取装置付き画像形成装置において、請求項４または５に記載の画像形成装置用ラックに連結部で連結して画像形成装置を隣接して設置する一方、載置台上に画像読取装置を載置し、車椅子使用者が画像形成装置を使用する場合、車椅子使用者の膝を、上述した画像形成装置用ラックの車椅子使用者の膝が入り込む空間に入れ、画像読取装置に車椅子使用者の体を十分に接近させることができる。
【図面の簡単な説明】
【図１】この発明に係る画像形成装置用ラックの一例の全体斜視図である。
【図２】その画像形成装置用ラックに、画像読取装置付き画像形成装置を設置した状態を示す斜視図である。
【図３】その画像読取装置付き画像形成装置を車椅子使用者が使用する場合の説明図である。
【図４】この発明に係る画像形成装置用ラックの他例の全体斜視図である。
【図５】その画像形成装置用ラックに取り付ける転倒防止部材の斜視図である。
【図６】その画像形成装置用ラックに、画像読取装置付き画像形成装置を設置した状態を示す斜視図である。
【図７】その画像読取装置付き画像形成装置を車椅子使用者が使用する場合の説明図である。
【図８】従来の画像形成装置用ラックの斜視図である。
【図９】その画像形成装置用ラックに、画像読取装置付き画像形成装置を設置した状態を示す斜視図である。
【図１０】その画像読取装置付き画像形成装置を車椅子使用者が使用する場合の説明図である。
【図１１】従来の、また別の画像形成装置用ラックに設置した画像形成装置を車椅子使用者が使用する場合を説明する概略斜視図である。
【符号の説明】
３０　　複写機（画像形成装置）
３１　　画像読取装置
２０、４０　　複写機用ラック（画像形成装置用ラック）
２７、４８　　載置台
４１ａ、４１ｂ　　　脚部材
４２　　連結部
５１　　転倒防止部材
Ａ　　　第１の部分
Ｂ、Ｆ　　　車椅子使用者の膝が入り込む空間
Ｃ　　　第２の部分
【図１】
2004053999.tif 000003
【図２】
2004053999.tif 000004
【図３】
2004053999.tif 000005
【図４】
2004053999.tif 000006
【図５】
2004053999.tif 000007
【図６】
2004053999.tif 000008
【図７】
2004053999.tif 000009
【図８】
2004053999.tif 000010
【図９】
2004053999.tif 000011
【図１０】
2004053999.tif 000012
【図１１】
2004053999.tif 000013